(57)【要約】      （修正有）【課題】ＣＤ／ＤＶＤの書籍管理システムを改良する。【解決手段】書籍類に付されているＩＣタグとコピー機の連携によるコピー防止システムと、ＵＨＦ帯を介してダイポールアンテナにより飛距離を制限して読み抜けを防止するポール型アンテナによるＩＣタグスキャンシステムと、書籍に付けられているＩＣタグを表面に出さずに書籍の印刷面隠しを防止しかつＩＣタグの妨害を防ぐＩＣタグの組込型背ラベルと、前記ＩＣタグに透明素材を用いかつアンテナ金属面も目立たない色彩又はデザインを用いてカモフラージュしてなる透明ラベルとから構成されるＣＤ／ＤＶＤラベルを用いた書籍類管理システムにおいて、収納ケース本体にＩＣタグを貼付しかつＣＤ／ＤＶＤを格納し、該格納されているＣＤ／ＤＶＤを前記収納ケース本体ごとにロック付ケースにて格納して保護することを特徴とするＣＤ／ＤＶＤの盗難防止用書籍類管理システム。【選択図】  図１
2008134796.tif 000002
【特許請求の範囲】
【請求項１】
各種書籍類に付されているＩＣタグとコピー機の読取装置が連動しかつＩＣデータの中にコピー権を記録させ、該コピー機の読取装置がそれぞれ判断をして一部コピーの繰り返しによる管理を行うＩＣ及びコピー機の連携によるコピー防止システムと、ＵＨＦ帯を介してダイポールアンテナにより飛距離を制限しかつ書籍類に付したタグにアンテナを近接させてＩＣタグの読み抜けを防止して安全かつ確実な読み取りを可能にし、更に狭い範囲のＩＣタグに集中的に電波を当て１枚当りのＩＣの起電力を確保して読み抜けを防止するポール型アンテナによるＩＣタグスキャンシステムと、背ラベルにＩＣを読み込み一体化させて書籍に付けられているＩＣタグを表面に出さずに書籍の印刷面隠しを未然に防止しかつＩＣタグの妨害を防ぐＩＣタグの組込型背ラベルと、前記ＩＣタグに透明素材を用いかつアンテナ金属面も目立たない色彩又はデザインを用いてカモフラージュしてなる透明ラベルと、から構成されるＣＤ／ＤＶＤラベルを用いたＩＣタグを利用した図書館における書籍類管理システムにおいて、ＲＦＩＤタグで貼り付けされている収納ケース本体にＩＣタグを貼付しかつＣＤ／ＤＶＤを格納し、該格納されているＣＤ／ＤＶＤを前記収納ケース本体ごとにロック付ケースにて格納して保護することを特徴とするＣＤ／ＤＶＤの盗難防止用書籍類管理システム。
【請求項２】
前項のＣＤ／ＤＶＤの盗難防止用書籍類管理システムにおいて、利用者自身が貸出しを行う機具に未貸出しのＲＦＩＤタグに反応させかつアラームに鳴動するリーダライタ装置と、ロック付ケースのロック解除機構とを一体化されたロック付ケース外し機とを配設してなり、前記利用者自身が貸出しを行う機具で正規に貸出しをするロック付ケースごと盗難防止ゲートを通り抜けようとするとＲＦＩＤタグがゲートに反応し、アラームが鳴動されることを特徴とする請求項１記載のＣＤ／ＤＶＤの盗難防止用書籍類管理システム。
【請求項３】
請求項１記載のＣＤ／ＤＶＤの盗難防止用書籍類管理システムにおいて、未貸出し状態でロック付ケース外し機でロックを解除しようとすると未貸出しＲＦＩＤタグに反応しかつアラームが鳴動するリーダライタ装置が反応し、更に該アラームの鳴動により盗難を防止する請求項１及び２記載のＣＤ／ＤＶＤの盗難防止用書籍類管理システム。
【発明の詳細な説明】
【技術分野】
【０００１】
本発明は図書館管理システムに関するが、詳しくＩＣタグを利用した書籍類管理システムにおけるＣＤ／ＤＶＤの盗難防止用書籍類管理システムに関するものである。
【背景技術】
【０００２】
従来のＩＣタグを用いた図書館の書籍類管理システムとしては、例えば本願出願人が特願２００５−１５３３４１号で出願されているＣＤ／ＤＶＤラベルとそのＣＤ／ＤＶＤラベルを用いた書籍類の管理システムがある。この従来システムは、ＩＣタグを利用した図書館における書籍類の貸出及び返却等の図書館管理システムであって、前記図書館管理システムに使用されるＣＤ／ＤＶＤ等の光学媒体において、該光学媒体の中心円周部の金属が装着されていない部分に設置可能な円形アンテナと、タブ外周に円周を有するタグベース素材とから構成されることを特徴とするＣＤ／ＤＶＤラベルを用いたＩＣタグを用いた図書館システムにおけるＣＤ／ＤＶＤラベルの提供にあり、またアンテナ・ＩＣチップ部を中心部に設置して重心を光学媒体の中心部に近づけかつタグの貼付時における光学媒体全体の重量の偏りを防ぐとともに、タグベース素材を外周まで大きくしてタグの光学媒体からの剥れを防止しかつ貼付作業を容易にして貼付の位置づれによる偏芯を防ぐＣＤ／ＤＶＤラベルを用いたＩＣタグを用いた図書館システムにおける書籍類管理システムの提供にある。
【特許文献１】特願２００５−１５３３４１号の特許出願  この従来の管理システムは、ＩＣタグを利用した図書館における書籍類の貸出及び返却等の書籍類管理システムにおいて、各種書籍類に付されているＩＣタグとコピー機の読取装置が連動しかつコピー権の許可又は不許可を付与し、更にＩＣデータの中にコピー権を記録させて前記コピー機の読取装置がそれぞれ判断をし、その一部コピーの繰り返しによる管理を行うＩＣ及びコピー機の連携によるコピー防止システムと、ＵＨＦ帯を介してダイポールアンテナにより飛距離を制限しかつ書籍類に付したタグに前記アンテナを近接させてＩＣタグの読み抜けを防止して安全かつ確実な読み取りを可能にし、更に狭い範囲のＩＣタグに集中的に電波を当て１枚当りのＩＣの起電力を確保して読み抜けを防止するポール型アンテナによるＩＣタグスキャンシステムと、背ラベルにＩＣを読み込み一体化させて書籍付けられているＩＣタグを表面に出さずに書籍の印刷面隠しを未然に防止しかつＩＣタグの妨害を防ぐＩＣタグの組込型背ラベルと、前記ＩＣタグに透明素材を用いかつアンテナ金属面も目立たない色彩又はデザインを用いてカモフラージュしてなる透明ラベルと、から構成されるＣＤ／ＤＶＤラベルを用いたＩＣタグを利用した図書館における書籍類管理システムであり、また前記書籍類管理システムの図書館内にカウンターまわりに貸出カウンターを設け、該貸出カウンターで埋込式のリーダライタに書籍類と一緒に利用券のＩＣカードを載せ、更に前記カウンターの延長線上に自動貸出機を配設しかつ、該自動貸出機を利用してＩＣ利用者カードと書籍類とを一緒に載せ、利用者が自らが復数の書籍類を同時に貸出処理し、更に盗難防止ゲートを介し書籍類の点検を行うＣＤ／ＤＶＤラベルを用いたＩＣタグを利用した図書館における書籍類管理システムである。
【０００３】
具体的には、次のような特徴を有する書籍管理システムである。以下、表１を参照しながら説明する。
（１）ＩＣとコピー機の連携によるコピー防止機能にした点
ア、従来システムは、図書館での書籍類のコピーには制限があるが、機械的な制約がかけられないために事実上は野放し状態になっている。
イ、この問題を解決するためには、書籍類に貼付されたＩＣタグとコピー機の読取装置が連動してコピー権の許可・不許可を与える一方、ＩＣデータの中にコピー権を記録させてコピー機の読取装置でそれを判断し、更に一部コピーの繰返しによる管理も同時に行う必要がある。
ウ、そこで本発明システムによることによって、図書館での繰返しコピーの制限及び企業内の不正コピーを未然に防止することが可能となる。
（２）ポール型アンテナによるＩＣタグスキャン方式にした点
ア、従来システムは平面アンテナが一般的であり、その電波照射が広範囲にわたるために目的外のＩＣタグまで読み取ってしまう危険性があり、また広い範囲のＩＣタグに電波を当てるために１枚当たりのＩＣの起電力がばらつきやすくなって読み抜けが起きやすい問題があった。
イ、この問題点を解決するためＵＨＦ帯でダイポールアンテナにより、飛距離を制限するとともに書籍類に貼ったＩＣタグにアンテナを近接させることにより安全で確実な読み取ることが可能となり、更に狭い範囲のＩＣタグに集中的に電波を当てることができるために１枚当たりのＩＣの起電力を確保しやすくなるので読み抜けを防止しやすくなる。
ウ、そこで本発明システムにすることによって、ポールアンテナと背に貼ったＩＣタグの組み合わせて複数の連続したＩＣタグを容易で安全・確実でしかも効率的な読み取りができる。
（３）ＩＣタグ組込型背ラベルにした点
ア、従来システムは、現状にＩＣタグを書籍類の裏表紙等に貼ると複数の書籍類が重ねられた状態でアンテナ面からの電波の照射角度に対してＩＣタグが重ね合わせ方向になり、またＩＣタグ間において相互干渉が起き起電力が低下して読み抜けが発生する可能性が高くなる一方、書籍類の背に貼る場合タグが表面に出てしまい書籍類の印刷面を隠してしまったりＩＣタグそのものがはがされてしまう危険性が高くなる問題点が生じていた。
イ、このような問題点を解決するためには、背ラベルにＩＣを組み込み一体化する必要がある。
ウ、そこで本発明システムにすることによって、表面上は従来の背ラベルとしか見えないために新たな印刷面を隠すことがなくなり、またＩＣタグそのものへのいたずら妨害を防止することができる。
（４）透明ラベルにした点
ア、従来システムは前記ＩＣタグ組込型背ラベルにしたのと同様にしているが、ＵＨＦ帯タグでは全長１０ｃｍ程度の細長のものが一般的に使われるために、この方法では解決しきれない問題がある。
イ、このような問題点を解決するためには、ＩＣタグのベース素材を透明素材とするとともにアンテナ金属面も目立たない色やデザインにしてカモフラージュする必要がある。（ウ、そこで本発明システムによって、ＩＣタグが視認しにくくなりタグ貼付の自由度が高くすることが可能となる。
【発明の開示】
【発明が解決しようとする課題】
【０００４】
このような本願出願人が開発した従来システムに改良を加えて、従来システムでは解決されなかった課題を解決しようとするところに本発明の解決課題を有する。
【課題を解決するための手段】
【０００５】
本発明は上記の如き課題を解決するために開発したものであって、各種書籍類に付されているＩＣタグとコピー機の読取装置が連動しかつＩＣデータの中にコピー権を記録させ、該コピー機の読取装置がそれぞれ判断をして一部コピーの繰り返しによる管理を行うＩＣ及びコピー機の連携によるコピー防止システムと、ＵＨＦ帯を介してダイポールアンテナにより飛距離を制限しかつ書籍類に付したタグにアンテナを近接させてＩＣタグの読み抜けを防止して安全かつ確実な読み取りを可能にし更に狭い範囲のＩＣタグに集中的に電波を当て１枚当りのＩＣの起電力を確保して読み抜けを防止するポール型アンテナによるＩＣタグスキャンシステムと、背ラベルにＩＣを読み込み一体化させて書籍に付けられているＩＣタグを表面に出さずに書籍の印刷面隠しを未然に防止しかつＩＣタグの妨害を防ぐＩＣタグの組込型背ラベルと、前記ＩＣタグに透明素材を用いかつアンテナ金属面も目立たない色彩又はデザインを用いてカモフラージュしてなる透明ラベルとから構成されるＣＤ／ＤＶＤラベルを用いたＩＣタグを利用した図書館における書籍類管理システムにおいて、ＲＦＩＤタグで貼り付けされている収納ケース本体にＩＣタグを貼付しかつＣＤ／ＤＶＤを格納し、該格納されているＣＤ／ＤＶＤを前記収納ケース本体ごとにロック付ケースにて格納して保護することを特徴とするＣＤ／ＤＶＤの盗難防止用書籍類管理システムの提供にあり、また前記ＣＤ／ＤＶＤの盗難防止用書籍類管理システムにおいて利用者自身が貸出しを行う機具に未貸出しのＲＦＩＤタグに反応させかつアラームに鳴動するリーダライタ装置とロック付ケースのロック解除機構とを一体化されたロック付ケース外し機とを配設してなり前記利用者自身が貸出しを行う機具で正規に貸出しをするロック付ケースごと盗難防止ゲートを通り抜けようとするとＲＦＩＤタグがゲートに反応しアラームが鳴動されることを特徴とするＣＤ／ＤＶＤの盗難防止用書籍類管理システムの提供にあり、更に前記ＣＤ／ＤＶＤの盗難防止用書籍類管理システムにおいて未貸出し状態でロック付ケース外し機でロックを解除しようとすると未貸出しＲＦＩＤタグに反応しかつアラームが鳴動するリーダライタ装置が反応し、更に該アラームの鳴動により盗難を防止するＣＤ／ＤＶＤの盗難防止用書籍類管理システムの提供にある。
【発明の効果】
【０００６】
本発明は、各種書籍類に付されているＩＣタグとコピー機の読取装置が連動しかつＩＣデータの中にコピー権を記録させ、該コピー機の読取装置がそれぞれ判断をして一部コピーの繰り返しによる管理を行うＩＣ及びコピー機の連携によるコピー防止システムと、ＵＨＦ帯を介してダイポールアンテナにより飛距離を制限しかつ書籍類に付したタグにアンテナを近接させてＩＣタグの読み抜けを防止して安全かつ確実な読み取りを可能にし更に狭い範囲のＩＣタグに集中的に電波を当て１枚当りのＩＣの起電力を確保して読み抜けを防止するポール型アンテナによるＩＣタグスキャンシステムと、背ラベルにＩＣを読み込み一体化させて書籍に付けられているＩＣタグを表面に出さずに書籍の印刷面隠しを未然に防止しかつＩＣタグの妨害を防ぐＩＣタグの組込型背ラベルと、前記ＩＣタグに透明素材を用いかつアンテナ金属面も目立たない色彩又はデザインを用いてカモフラージュしてなる透明ラベルとから構成されるＣＤ／ＤＶＤラベルを用いたＩＣタグを利用した図書館における書籍類管理システムにおいて、ＲＦＩＤタグで貼り付けされている収納ケース本体にＩＣタグを貼付しかつＣＤ／ＤＶＤを格納し、該格納されているＣＤ／ＤＶＤを前記収納ケース本体ごとにロック付ケースにて格納して保護する盗難防止用書籍類管理システムであり、また前記ＣＤ／ＤＶＤの盗難防止用書籍類管理システムにおいて、利用者自身が貸出しを行う機具に未貸出しのＲＦＩＤタグに反応させかつアラームに鳴動するリーダライタ装置と、ロック付ケースのロック解除機構とを一体化されたロック付ケース外し機とを配設してなり、前記利用者自身が貸出しを行う機具で正規に貸出しをするロック付ケースごと盗難防止ゲートを通り抜けようとするとＲＦＩＤタグがゲートに反応しアラームが鳴動されるＣＤ／ＤＶＤの盗難防止用書籍類管理システムであり、更に前記ＣＤ／ＤＶＤの盗難防止用書籍類管理システムにおいて、未貸出し状態でロック付ケース外し機でロックを解除しようとすると未貸出しＲＦＩＤタグに反応しかつアラームが鳴動するリーダライタ装置が反応し更に該アラームの鳴動により盗難を防止するＣＤ／ＤＶＤの盗難防止用書籍類管理システムであるから、従来システムより次のような多くの効果を有する。
ア、従来システムで用いられているＣＤ／ＤＶＤは盗難が多発していたので、その防止策  としてＲＦＩＤが活用されているが、現段階ではその方式が未完成のため十分な効果が  発揮されていない。この点を改良した本発明ではＣＤ／ＤＶＤの本体だけではなく、そ  の付属物まで全てを盗難防止の対象にできるので完全なる防止策が得られる。
イ、具体的には従来システムでは、ＣＤ／ＤＶＤの壁面にＲＦＩＤタグを貼り付する方式  が実用化されているが壁面が金属製素材で構成されているために十分な通信性能を発揮  できなかったり、また再生時にタグが壁面から剥がされて機具に巻き付くなどのトラブ  ルが発生したり、更にその他の方式であるＣＤ／ＤＶＤケースにＲＦＩＤタグを貼り付  する方式もあるが壁面を抜き取られての盗難には何の役にも立たないことになる。これ  に対して本発明システムによれば、これらの問題点は全て解決することができる。
ウ、また、単に抜き取りを防止するための方式としてＣＤ／ＤＶＤをロック付ケースに格  納する方式があるが、この場合でもロック付ケースごと持ち去られることを防止できな  い。この場合でも本発明システムによれば、問題なく解決することができる。
エ、更に本発明システムによれば、利用者は利用者自身が貸し出しを行う機具で正規に貸  し出しをするとロック付きケース外し機でロックを外して中身を取り出すことができ、  また未貸出し状態でロックケースごと盗難防止ゲートを通り抜けようとするとＲＦＩＤ  タグがゲートに反応してアラームが鳴動することができ、また同様に未貸出し状態でロ  ック付ケース外し機にてロックを解除しようとすると未貸出しのＲＦＩＤタグに反応し  てアラームが鳴動するリーダライタ装置に反応するのでアラームを鳴動して盗難を防止  することができる、など従来システムには得られない多くの効果が得られる。
【０００７】
すなわち、本発明効果の重要なポイントは、次の３点に要約することができる。
【０００８】
第１点は、従来方式と比較してゲートでの感知性能を大幅に向上できること。
【０００９】
第２点は、ＣＤ／ＤＶＤの本体だけでなくその付属物まで全てを盗難防止の対象にでき            ること。
【００１０】
第３点は、盗難防止を現実しながら利用者自身でロックを解除し中身を取出せること。
【発明を実施するための最良の形態】
【００１１】
本発明の最良な実施形態は、各種書籍類に付されているＩＣタグとコピー機の読取装置が連動しかつＩＣデータの中にコピー権を記録させ、該コピー機の読取装置がそれぞれ判断をして一部コピーの繰り返しによる管理を行うＩＣ及びコピー機の連携によるコピー防止システムと、ＵＨＦ帯を介してダイポールアンテナにより飛距離を制限しかつ書籍類に付したタグにアンテナを近接させてＩＣタグの読み抜けを防止して安全かつ確実な読み取りを可能にし更に狭い範囲のＩＣタグに集中的に電波を当て１枚当りのＩＣの起電力を確保して読み抜けを防止するポール型アンテナによるＩＣタグスキャンシステムと、背ラベルにＩＣを読み込み一体化させて書籍に付けられているＩＣタグを表面に出さずに書籍の印刷面隠しを未然に防止しかつＩＣタグの妨害を防ぐＩＣタグの組込型背ラベルと、前記ＩＣタグに透明素材を用いかつアンテナ金属面も目立たない色彩又はデザインを用いてカモフラージュしてなる透明ラベルとから構成されるＣＤ／ＤＶＤラベルを用いたＩＣタグを利用した図書館における書籍類管理システムにおいて、ＲＦＩＤタグで貼り付けされている収納ケース本体にＩＣタグを貼付しかつＣＤ／ＤＶＤを格納し、該格納されているＣＤ／ＤＶＤを前記収納ケース本体ごとにロック付ケースにて格納して保護することを特徴とするＣＤ／ＤＶＤの盗難防止用書籍類管理システムであるから、従来システムで生じていた問題点が全て解消され精度の高い盗難防止機能を実現することができるとともに、図書館などでの利用者自身による貸出し処理を可能にすることもできる。
【００１２】
また本発明の最良な実施形態は、前記ＣＤ／ＤＶＤの盗難防止用書籍類管理システムにおいて、利用者自身が貸出しを行う機具に未貸出しのＲＦＩＤタグに反応させかつアラームに鳴動するリーダライタ装置とロック付ケースのロック解除機構とを一体化されたロック付ケース外し機とを配設してなり、前記利用者自身が貸出しを行う機具で正規に貸出しをするロック付ケースごと盗難防止ゲートを通り抜けようとするとＲＦＩＤタグがゲートに反応し、アラームが鳴動されることを特徴とするＣＤ／ＤＶＤの盗難防止用書籍類管理システムであり、また前記のＣＤ／ＤＶＤの盗難防止用書籍類管理システムにおいて未貸出し状態でロック付ケース外し機でロックを解除しようとすると未貸出しＲＦＩＤタグに反応しかつアラームが鳴動するリーダライタ装置が反応し、更に該アラームの鳴動により盗難を防止するＣＤ／ＤＶＤの盗難防止用書籍類管理システムであるから、従来の効果をより明確にすることができるとともに前記発明の効果欄で述べるような本発明の重要なポイントが得られる。
【実施例１】
【００１３】
本発明は、本願出願人が開発して特許出願（特願２００５−１５３３４１）されている発明を改良したものであるから、まず表１と図１・図２・図３により従来システムを説明した後に、本発明の改良した分について説明することにする。
【００１４】
【表１】
2008134796.tif 000003
従来システムは、公共図書館においてＩＣを導入した場合を示したワークフローである。この従来システムは、図書管理システムにおいて書籍類の納入ルートが受入作業→配架作業→貸出作業→持帰→ブックポスト返却→返却作業→配架作業と、該配架作業→←館内閲覧・書籍類点検とから構成されるＩＣタグを利用した図書館における図書管理システムになっており、また図書管理システムにおける受入作業がスキャンしかつ管理データをＩＣ登録するシステムとからなり、また貸出作業が貸出書籍類をスキャンしＩＣにゲート通過フラグを書き込ませＣＤ／ＤＶＤラベルを用いたＩＣタグを利用した図書館における書籍類管理システムとなっており、また書籍類管理システムにおける返却作業が返却書籍類のＩＣを連続スキャンしかつＩＣにゲード通過フラグを書き込むＩＣタグを利用した図書館における書籍類管理システムとなっており、また書籍類管理システムにおける館内閲覧が通過書籍類のＩＣゲード通過フラグを読み取りかつ通過不可フラグの場合はアラームを鳴動し、更に通過フラグをＩＣに格納して瞬時に読み取るＣＤ／ＤＶＤラベルを用いたＩＣタグを利用した図書館における書籍類管理システムとなっており、また書籍類管理システムにおける書籍類の点検が全ての書籍類を連続スキャンしてＩＣ管理データを読み取りかつ必要データを書き込み、更にサーバ情報処理にＩＣ管理データを利用したＩＣタグを利用した図書館における書籍類管理システムとなっており、更に書籍類管理システムの図書館内にカウンターまわりに貸出カウンターを設け、該貸出カウンターで埋込式のリーダライターに書籍類と一緒に利用券のＩＣカードを載せ、更に前記カウンターの延長線上に自動貸出機を配設し、該自動貸出機を利用してＩＣ利用者カードと書籍類とを一緒に載せて利用者が自らが復数書籍類を同時に貸出処理し、更に盗難防止ゲートを介し書籍類の点検を行うＩＣタグを利用した図書館における書籍類管理システムとなっている。
【００１５】
更に本発明システムについて説明すれば、まず本発明システムはＩＣタグを用いた図書館システムにおいてＲＦＩＤを活用した図書館システムである。このＲＦＩＤを導入して書籍類の貸出・返却・点検作業を行うことによって、確実な動作と効率化を図ることができる。すなわち、本発明システムは図書館で管理される図書類その他の使用に貼付するための最適なＩＣタグ及びリーダライター装置により、図書館で運用するための最適な手段を提供するものであるとともに、そのＲＦＩＤを活用したサービスを提供するものである。
【００１６】
更に本発明システムについて説明すれば、まず従来システムにおいてはＣＤ／ＤＶＤ等の光学媒体は円周上に金属蒸着がなされているために一般的な長方形のＩＣタグをそのまま貼付することができない。また、従来システムでは使用中にＣＤ／ＤＶＤ等が回転している時に貼付したＩＣタグが剥がれ落ちて、再生機器に巻き込むことにより二次災害につながる危険性もある。更に従来システムは、アンテナやＩＣチップの重量がタグ内で偏ることにより再生機器内での媒体の偏芯が起きる危険性もある。これはタグ貼付の際、貼付位置の確認方法にも依存するからである。これに対して、本発明システムによればＣＤ／ＤＶＤ等の光学媒体の中心円周部の金属蒸着されていない部分に設置できる円形のアンテナと、タグ外周の円周を持つタグベース素材から構成されるＩＣタグとを用い、またアンテナ・ＩＣチップ部を中心部に設置することによって重心を媒体の中心部に近づけるとともに、タグへの貼付時における媒体全体での重量の偏りを防ぐことができる。更に本発明システムによれば、タグベース素材を外周まで大きくすることによってタグの媒体からの剥がれを防止するとともに貼付作業を容易にして貼付位置ずれによる偏芯を防ぐことができる。このように従来システムの特徴は次のとおりである。
（１）ＩＣとコピー機の連携によるコピー防止機能にした点
ア、従来システムは、図書館での書籍類のコピーには制限があるが、機械的な制約がかけ  られないために事実上は野放し状態になっている。
イ、この問題を解決するためには、書籍類に貼付されたＩＣタグとコピー機の読取装置が  連動してコピー権の許可・不許可を与える一方、ＩＣデータの中にコピー権を記録させ  てコピー機の読取装置でそれを判断し、更に一部コピーの繰返しによる管理も同時に行  う必要がある。
ウ、そこで本発明システムによることによって、図書館での繰返しコピーの制限及び企業  内の不正コピーを未然に防止することが可能となる。
（２）ポール型アンテナによるＩＣタグスキャン方式にした点
ア、従来システムは平面アンテナが一般的であり、その電波照射が広範囲にわたるために  目的外のＩＣタグまで読み取ってしまう危険性があり、また広い範囲のＩＣタグに電波  を当てるために１枚当たりのＩＣの起電力がばらつきやすくなって読み抜けが起きやす  い問題があった。
イ、この問題点を解決するためＵＨＦ帯でダイポールアンテナにより、飛距離を制限する  とともに書籍類に貼ったＩＣタグにアンテナを近接させることにより安全で確実な読み  取ることが可能となり、更に狭い範囲のＩＣタグに集中的に電波を当てることができる  ために１枚当たりのＩＣの起電力を確保しやすくなるので読み抜けを防止しやすくなる  。
ウ、そこで本発明システムにすることによって、ポールアンテナと背に貼ったＩＣタグの  組み合わせて複数の連続したＩＣタグを容易で安全・確実でしかも効率的な読み取りが  できる。
（３）ＩＣタグ組込型背ラベルにした点
ア、従来システムは、現状にＩＣタグを書籍類の裏表紙等に貼ると複数の書籍類が重ねら  れた状態でアンテナ面からの電波の照射角度に対してＩＣタグが重ね合わせ方向になり  、またＩＣタグ間において相互干渉が起き起電力が低下して読み抜けが発生する可能性  が高くなる一方、書籍類の背に貼る場合タグが表面に出てしまい書籍類の印刷面を隠し  てしまったりＩＣタグそのものがはがされてしまう危険性が高くなる問題点が生じてい  た。
イ、このような問題点を解決するためには、背ラベルにＩＣを組み込み一体化する必要が  ある。
ウ、そこで本発明システムにすることによって、表面上は従来の背ラベルとしか見えない  ために新たな印刷面を隠すことがなくなり、またＩＣタグそのものへのいたずら妨害を  防止することができる。
（４）透明ラベルにした点
ア、従来システムは前記ＩＣタグ組込型背ラベルにしたのと同様にしているが、ＵＨＦ帯  タグでは全長１０ｃｍ程度の細長のものが一般的に使われるために、この方法では解決  しきれない問題がある。
イ、このような問題点を解決するためには、ＩＣタグのベース素材を透明素材とするとと  もにアンテナ金属面も目立たない色やデザインにしてカモフラージュする必要がある。ウ、そこで本発明システムによって、ＩＣタグが視認しにくくなりタグ貼付の自由度が高  くすることが可能となる。
【００１７】
次に、表２によって従来システム（特願２００５−１５３３４１）を改良した本発明システムについて説明すれば、従来システムと本改良システムが対比されている。
【００１８】
【表２】
2008134796.tif 000004
ア、従来方法では発生事例が複数生じて危険性が高かったが、本発明システムによれば機  具へのタグの差し込みトラブルは全く生じない。
イ、従来方法では有効な保存は期待できないばかりか円盤以外は無防備となるが、本発明  方式によれば複数組からなるＣＤ／ＤＶＤの円盤は有効に保護でき、しかも歌詞カード  等の保護も完全にすることができる。
ウ、従来方式では金属石への貼り付けのため電波が通りにくいが本発明方式によれば利用  者の貸し出し機やカウンター貸出しが高い読取り精度を管理できるとともに、ゲートで  の感知性能も有して高くなる。
エ、従来方式では盤面貼付のためにタグが表面に出ておりタグへの攻撃を受けやすく、そ  の結果不正な持ち出しの対象になり易いが、本発明方式によればロックケースに保護さ  れているために攻撃されにくいので、館内における管理中のＩＣタグへのいたずらはな  くなる。
オ、従来方法では盤面貼付のため剥がすと盤面も破損するばかりか張り替えが不可能とな  るが、本発明方式によれば本体ケースへの貼付のために貼り替えは容易となりＩＣ故障  時のＩＣタグ貼り直しが可能となる。
カ、なお本発明方式はロックケース解除やロックケース格納に手間がかかったり、またロ  ックケースに多少の費用がかかるが、実施化や市場化にあたってはあまり問題にはなら    ない。更に図４から図６は、本発明システムを図示したものであるが図中に説明文が  記載されているので具体的な説明については省略することにする。
【００１９】
以上説明したように、本発明システムはＣＤ／ＤＶＤの盤面に直接ＩＣタグを貼付していないので、本体ケースにＩＣタグを張り付けてロックケースごと管理することができるから、従来システムに比べて次のような多くのメリットが得られる。
ア、ＣＤ／ＤＶＤ本体に貼らないため機器への巻き込み事故の危険性がない。
イ、自動貸出し機で借り出しができるので高いレベルの重ね読み性能が実現できる。
ウ、ＣＤ／ＤＶＤ盤面だけでなく「歌詞カード」や「解説書」まで丸ごと保護できるので    複数組みのＣＤ／ＤＶＤにも効果を発揮できる。
エ、高いレベルのゲート検知性能を実現できる。
【図面の簡単な説明】
【００２０】
【図１】従来システムのＣＤ／ＤＶＤラベルを用いた非接触ＩＣタグを利用した書籍類管理シ    ステムのブロック図。
【図２】従来システムのＣＤ／ＤＶＤラベルを用いた非接触ＩＣタグの概要図。
【図３】従来システムのＣＤ／ＤＶＤラベルを用いた非接触ＩＣタグの概要図。
【図４】従来システムのＣＤ／ＤＶＤへのＩＣタグ貼付方法を示した説明概要図。
【図５】本発明システムのロックケース解除方法を示した説明概要図。
【図６】本発明システムの運用イメージを示した説明概要図。
【符号の説明】
【００２１】
１  書籍類管理システム
２  図書
３  図書館利用カード
４  非接触ＩＣタグラベル
１１  主制御部
１２  非接触ＩＣタグ用プリンタ装置
１３  貸出用リーダライタ
１４  返却用リーダライタ
１５  蔵書図書データベース
１６  利用者データベース
１７  管理用ソフトウェア
４１  ＩＣチップ
４２  コイルパターン
４４  普通部材
【図１】
2008134796.tif 000005
【図２】
2008134796.tif 000006
【図３】
2008134796.tif 000007
【図４】
2008134796.tif 000008
【図５】
2008134796.tif 000009
【図６】
2008134796.tif 000010